(57)【要約】【課題】水栓本体の外面の衛生状態を良好に保つ。【解決手段】水栓装置Ａは、給水ユニット１１をハウジング２４で包囲した形態の水栓本体１０と、ハウジング２４の外面に形成された凹部３２と、ハウジング２４とは別体をなし、凹部３２に取り付けられたアクセントライン３５と、凹部３２とアクセントライン３５との隙間を凹部３２の外部へ連通させる排水孔３８Ｆ，３８Ｒとを備えている。凹部３２とアクセントライン３５との隙間に水が浸入しても、その水は排水孔３８Ｆ，３８Ｒを通って凹部３２の外部へ排出されるので、水栓本体１０の外面に水が溜まったままになるのを防止し、衛生状態を良好に保つことができる。【選択図】図４
2020026611.tif 000002
【特許請求の範囲】
【請求項１】
給水機能部材をハウジングで包囲した形態の水栓本体と、
前記ハウジングの外面に形成された凹部と、
前記ハウジングとは別体をなし、前記凹部に取り付けられた別部品と、
前記凹部と前記別部品との隙間を前記凹部の外部へ連通させる排水路とを備えていることを特徴とする水栓装置。
【請求項２】
前記排水路が、前記凹部の底面から前記ハウジングの下面に連通する排水孔によって構成されていることを特徴とする請求項１記載の水栓装置。
【請求項３】
前記凹部が、前記ハウジングの上面を溝状に凹ませた形態であって、一対の内側面を有しており、
複数の前記排水孔が、前記凹部の底面のうち前記一対の内側面に隣接する領域に配されていることを特徴とする請求項２記載の水栓装置。
【請求項４】
前記複数の排水孔が千鳥配置されていることを特徴とする請求項３記載の水栓装置。
【発明の詳細な説明】
【技術分野】
【０００１】
本発明は、水栓装置に関する。
【背景技術】
【０００２】
特許文献１には、温度調節弁と流路切換弁とを備えた機能体と、機能体を包囲するカバーとを備えた給水栓が開示されている。機能体の左右両端からは一対の操作軸が同軸状に突出しており、一方の操作軸には温度調節用の操作ハンドルが取り付けられ、他方の操作軸には流路切換用の操作ハンドルが取り付けられている。
【先行技術文献】
【特許文献】
【０００３】
【特許文献１】特開２０００−３５２０８７号公報
【発明の概要】
【発明が解決しようとする課題】
【０００４】
カバーは、機能体の上面と前面を覆う主カバーを有しており、主カバーの外面には、主カバーが機能体から離脱するのを規制するためのカラーが取り付けられている。主カバーとカラーは別体の部品であるため、主カバーとカラーとの隙間に水が浸入した場合、その浸入した水が溜まったままであると、主カバーとカラーの隙間に水垢が堆積することになる。
【０００５】
本発明は、上記従来の実情に鑑みてなされたものであって、水栓本体の外面の衛生状態を良好に保つことを解決すべき課題としている。
【課題を解決するための手段】
【０００６】
本発明の水栓装置は、
給水機能部材をハウジングで包囲した形態の水栓本体と、
前記ハウジングの外面に形成された凹部と、
前記ハウジングとは別体をなし、前記凹部に取り付けられた別部品と、
前記凹部と前記別部品との隙間を前記凹部の外部へ連通させる排水路とを備えていることを特徴とする。
【発明の効果】
【０００７】
凹部と別部品との隙間に水が浸入しても、その水は排水路を通って凹部の外部へ排出されるので、水栓本体の外面に水が溜まったままになるのを防止し、衛生状態を良好に保つことができる。
【図面の簡単な説明】
【０００８】
【図１】実施例１の水栓装置の斜視図
【図２】水栓装置の分解斜視図
【図３】水栓装置においてアクセントラインを凹部から外した状態をあらわす平面図
【図４】図３のＸ−Ｘ線断面図
【図５】図３のＹ−Ｙ線断面図
【図６】実施例２の水栓装置の部分拡大側断面図
【発明を実施するための形態】
【０００９】
本発明の水栓装置は、前記排水路が、前記凹部の底面から前記ハウジングの下面に連通する排水孔によって構成されていてもよい。この構成によれば、凹部と別部品の隙間に浸入した水は、重力にしたがって排水孔からハウジングの下方へ効率良く排出される。
【００１０】
本発明の水栓装置は、前記凹部が、前記ハウジングの上面を溝状に凹ませた形態であって、一対の内側面を有しており、複数の前記排水孔が、前記凹部の底面のうち前記一対の内側面に隣接する領域に配されていてもよい。この構成によれば、凹部に収容された別部品がいずれか一方の内側面側へ片寄って取り付けられたときには、別部品と他方の内側面との隙間に水が浸入するのであるが、別部品と他方の内側面との隙間には排水孔が開口しているので、確実に排水することができる。
【００１１】
本発明の水栓装置は、前記複数の排水孔が、千鳥配置されていてもよい。一対の内側面に隣接する一対の排水孔が、凹部の長さ方向において同じ位置に配置されていると、凹部の底面を構成する底壁部のうち一対の排水孔で挟まれた領域が、幅狭となって強度低下を来すことが懸念される。その点、上記構成によれば、一対の内側面に隣接する一対の排水孔が、凹部の長さ方向において互いに異なる位置に配置されるので、凹部の底壁部のうち一対の排水孔に連なる領域は、幅狭にならず、強度低下を来す虞がない。
【００１２】
＜実施例１＞
以下、本発明を具体化した実施例１を図１〜図５を参照して説明する。尚、以下の説明において、前後の方向については、図１，２における斜め右下方、及び図３における下方、及び図４，５における左方を前方と定義する。上下の方向については、図１，２，４，５にあらわれる向きを、そのまま上方、下方と定義する。左右の方向については、図３にあらわれる向きを、そのまま左方、右方と定義する。
【００１３】
本実施例１の水栓装置Ａは、図２に示すように、水栓本体１０と、温度調節用ハンドル１６と、流路切換用ハンドル１７とを備えて構成されている。水栓本体１０は、給水ユニット１１（請求項に記載の給水機能部材）と、給水ユニット１１を包囲する合成樹脂製のハウジング２４とを組み付けて構成されている。
【００１４】
給水ユニット１１は、給水用接続部１３と給湯用接続部１４を有するボディ１２と、ボディ１２内に収容された温調用バルブユニット（図示省略）と、ボディ１２内に収容された流路切換用バルブユニット（図示省略）とを備えた周知構造のものである。給水ユニット１１は、給水温度を調節するための温度調節機能と、給水形態を止水、シャワー及びカラン（水栓装置Ａから洗い場や浴槽へ給水するための下向きの吐水口）のいずれかに切り換えるための流路切換機能とを含む給水機能を備えている。
【００１５】
給水ユニット１１の左端部には、左右方向の回動軸１５を中心として回動操作が可能な円柱形又は円筒形の温度調節用ハンドル１６が設けられている。温度調節用ハンドル１６は、給水温度を調節するための温度調節操作（給水操作）を行う手段であり、温調用バルブユニットの弁体（図示省略）に一体回転し得るように取り付けられている。
【００１６】
流路切換用ハンドル１７は、全体として左右方向に延びた形状をなす。流路切換用ハンドル１７は、左右方向に長い操作部１８と、操作部１８の右端部に連なる円形の連結部１９と、操作部１８の左端部に連なるリング状の嵌合部２０とを備えている。流路切換用ハンドル１７は、給水形態を止水、シャワー及びカランのいずれかに切り換えるための流路切換操作（給水操作）を行う手段である。
【００１７】
連結部１９は、連結機能部材２２を介して流路切換用バルブユニットの弁体（図示省略）に取り付けられている。嵌合部２０は、ボディ１２の左端部に回転可能に外嵌されている。流路切換用ハンドル１７は、回動軸１５と同軸状の揺動軸２３を中心として揺動し得るように水栓本体１０に支持されている。
【００１８】
図２に示すように、ハウジング２４は、アッパカバー２５とロアカバー２６とスペーサ２７とを備えて構成されている。給水ユニット１１にハウジング２４を取り付けた状態では、給水ユニット１１の上下両面と左右両側面と前面がハウジング２４で覆われている。組付け状態の給水ユニット１１とハウジング２４は、水栓本体１０を構成している。水栓本体１０は、給水機能と化粧部材としての機能とを兼ね備えるものである。
【００１９】
アッパカバー２５は、上板部２８と、左右一対の側板部２９と、前板部３０とを有する単一部品である。上板部２８は、平面視形状が方形をなす略平板状の部位であり、全体として前方に向かって低くなるように僅かに傾斜している。左右一対の側板部２９は、上板部２８の左右両側縁から下方へ略直角に延出した形態である。前板部３０は、上板部２８の前端縁から斜め下前方へ弧状に延出した形態である。前板部３０の上端部には、上板部２８の前端部が接線状に滑らかに連続している。
【００２０】
ハウジング２４（アッパカバー２５）には、その上面（外面）を溝状に凹ませた形態であって、左右方向に細長い１本の凹部３２が形成されている。凹部３２は、アッパカバー２５の左右方向における全幅に亘って連続しており、凹部３２の左右両端はアッパカバー２５の外側面に開放されている。凹部３２は、前後方向においては、上板部２８の前端部に配されている。
【００２１】
図４，５に示すように、凹部３２の長さ方向と直角に切断した断面形状は、略方形である。凹部３２の内面は、略水平な底面３３と、底面３３の前縁部から上方へ略直角に立ち上がった前側内側面３４Ｆ（請求項に記載の内側面）と、底面３３の後縁部から上方へ略直角に立ち上がった後側内側面３４Ｒ（請求項に記載の内側面）とから構成されている。
【００２２】
図４，５に示すように、凹部３２には、左右方向に細長く延びた形状のアクセントライン３５（請求項に記載の別部品）が収容されている。アクセントライン３５は、後述するように給水温度を調節する際の操作性を向上させるための温度調節用標示４０としての機能と、給水形態を止水、シャワー及びカランのいずれかに切り換える際の操作性を向上させるための流路切換用標示４３としての機能とを備えている。また、デザイン的な観点では、アクセントライン３５は、水栓本体１０の外面の左右方向全領域に亘って連続して直線状に延びた形状であり、水栓装置Ａの意匠性を高める機能も兼ね備えている。
【００２３】
アクセントライン３５は両面テープ３６によって凹部３２内（アッパカバー２５）に固定されている。アクセントライン３５は、アッパカバー２５とは別体の単一部品であり、無色又は薄く着色され、透明な材料又は透光性を有する合成樹脂材料からなる。アクセントライン３５の幅寸法（前後方向の寸法）は、凹部３２への取付け作業性と寸法公差を勘案し、前側内側面３４Ｆと後側内側面３４Ｒの前後の間隔（凹部３２の幅寸法）より僅かに小さい寸法に設定されている。
【００２４】
また、両面テープ３６の幅寸法（前後寸法）は、底面３３の幅寸法（前後寸法）より小さい寸法に設定されている。両面テープ３６は、底面３３とアクセントライン３５の下面とに粘着することで、アクセントライン３５を凹部３２内に固定している。アクセントライン３５を凹部３２に収容した状態では、アクセントライン３５の上面（外面）は、アッパカバー２５の上面（外面）に対し段差なく、面一状に連続する。また、アクセントライン３５の前面と凹部３２の前側内側面３４Ｆとの間、又はアクセントライン３５の後面と凹部３２の後側内側面３４Ｒとの間には、僅かではあるが、隙間が形成される。
【００２５】
このアクセントライン３５と凹部３２との隙間に浸入した水が滞留した場合、水垢等が堆積する虞がある。この対策として、ハウジング２４（アッパカバー２５）には、複数の排水孔３８Ｆ，３８Ｒ（請求項に記載の排水路）が設けられている。排水孔３８Ｆ，３８Ｒは、凹部３２の底面３３から、アッパカバー２５の下面へ上下方向に貫通した形態である。排水孔３８Ｆ，３８Ｒの平面視形状は、凹部３２の長さ方向と平行な左右方向に細長いスリット状（長方形）である。排水孔３８Ｆ，３８Ｒは、凹部３２の内部空間とは別の排水専用の空間である。
【００２６】
図３に示すように、底面３３のうち前側内側面３４Ｆの下端部に隣接する前縁部には、複数の排水孔３８Ｆが左右方向に間隔を空けて配されている。また、底面３３のうち後側内側面３４Ｒの下端部に隣接する後縁部にも、複数の排水孔３８Ｒが左右方向に間隔を空けて配されている。前縁部に配された複数の排水孔３８Ｆと、後縁部に配された複数の排水孔３８Ｒは、左右方向において互いに異なる位置に配されている。即ち、凹部３２の底面３３には、複数の排水孔３８Ｆ，３８Ｒが千鳥配置されている。また、側面視において、前縁部の排水孔３８Ｆと後縁部の排水孔３８Ｒの最小前後間隔は、両面テープ３６の幅寸法より少し大きい寸法に設定されている。
【００２７】
アッパカバー２５の外面の左端部には、給水温度を調節する際の操作性を高める手段として温度調節用標示４０が配されている。温度調節用標示４０は、アクセントライン３５の左端部によって構成された温度標示４１と、温度標示４１の前後両側に配された一対の温調操作用標示４２とから構成されている。温度標示４１は、例えば４０℃等の給水温度を示す。一対の温調操作用標示４２は、給水温度を調節する際の温度調節用ハンドル１６の操作方向を示すものであり、温度標示４１の奥側（後方）には「Ｈ」の文字が表示され、温度標示４１の手前側（前方）には「Ｃ」の文字が表示されている。
【００２８】
アッパカバー２５の外面の右端部には、給水形態を止水、シャワー及びカランのいずれかに切り換える際の操作性を高める手段として、流路切換用標示４３が配されている。流路切換用標示４３は、アクセントライン３５の右端部によって構成された止水標示４４と、止水標示４４の前後両側に配された一対の切換操作用標示４５とから構成されている。一対の切換操作用標示４５は、シャワーとカランを切り換える際の流路切換用ハンドル１７の操作方向を示すものであり、止水標示４４の奥側（後方）にはシャワーを示す図柄が表示され、止水標示４４の手前側（前方）にはカランを示す図柄が表示されている。
【００２９】
アクセントライン３５の前面と凹部３２の前側内側面３４Ｆとの隙間や、アクセントライン３５の後面と凹部３２の後側内側面３４Ｒとの隙間に浸入した水は、重力により下降して底面３３に到達し、重力により排水孔３８Ｆ，３８Ｒ内を流下してアッパカバー２５（ハウジング２４）の下方へ落下する。したがって、アクセントライン３５と凹部３２の隙間に水が溜まったままになる虞はない。
【００３０】
本実施例１の水栓装置Ａは、給水ユニット１１をハウジング２４で包囲した形態の水栓本体１０と、ハウジング２４とは別体の部品であるアクセントライン３５とを有する。ハウジング２４の外面（上面）には凹部３２が形成され、凹部３２内にはアクセントライン３５が取り付けられている。ハウジング２４は、凹部３２内（凹部３２とアクセントライン３５の隙間）と凹部３２外とを連通させる排水孔３８Ｆ，３８Ｒが設けられている。
【００３１】
凹部３２とアクセントライン３５との隙間に水が浸入しても、その水は排水孔３８Ｆ，３８Ｒを通って凹部３２の外部へ排出されるので、水栓本体１０の外面（凹部３２内）に水が溜まったままになる虞がない。したがって、本実施例の水栓装置Ａは、衛生状態を良好に保つことができる。
【００３２】
また、凹部３２とアクセントライン３５との隙間を凹部３２の外部へ連通させる排水路を、凹部３２の底面３３からハウジング２４の下面に連通する排水孔３８Ｆ，３８Ｒによって構成している。この構成によれば、凹部３２とアクセントライン３５の隙間に浸入した水は、重力にしたがって排水孔３８Ｆ，３８Ｒからハウジング２４の下方へ効率良く排出される。
【００３３】
また、凹部３２は、ハウジング２４の上面を溝状に凹ませた形態であり、一対の内側面（前側内側面３４Ｆと後側内側面３４Ｒ）を有している。そして、複数の排水孔３８Ｆ，３８Ｒは、凹部３２の底面３３のうち前側内側面３４Ｆに隣接する前縁部と、後側内側面３４Ｒに隣接する後縁部とに配されている。
【００３４】
この構成によれば、凹部３２に収容されたアクセントライン３５が前側内側面３４Ｆと後側内側面３４Ｒのうちいずれか一方の内側面（例えば、前側内側面３４Ｆ）側へ片寄って取り付けられると、アクセントライン３５と他方の内側面（例えば、後側内側面３４Ｒ）との隙間に水が浸入するのであるが、アクセントライン３５と他方の内側面（例えば、後側内側面３４Ｒ）との隙間には、後縁部の排水孔３８Ｆ，３８Ｒが開口状態で連通しているので、確実に排水することができる。
【００３５】
また、本実施例１とは異なり、一対の内側面（前側内側面３４Ｆと後側内側面３４Ｒ）に隣接する一対の排水孔３８Ｆ，３８Ｒが、凹部３２の長さ方向（左右方向）において同じ位置に配置されている場合、凹部３２の底面３３を構成する底壁部３９のうち一対の排水孔３８Ｆ，３８Ｒで挟まれた領域が、幅狭となって強度低下を来すことが懸念される。
【００３６】
そこで、本実施例１では、複数の排水孔３８Ｆ，３８Ｒを千鳥配置とした。これにより、一対の内側面（前側内側面３４Ｆと後側内側面３４Ｒ）に隣接する一対の排水孔３８Ｆ，３８Ｒが、凹部３２の長さ方向（左右方向）において互いに異なる位置に配置されるので、凹部３２の底壁部３９のうち一対の排水孔３８Ｆ，３８Ｒに連なる領域は、幅狭にならず、強度低下を来す虞がない。
【００３７】
＜実施例２＞
次に、本発明を具体化した実施例２を図６を参照して説明する。本実施例２の水栓装置Ｂは、水栓本体５０を構成するハウジング５１のアッパカバー５２を、上記実施例１とは異なる構成としたものである。その他の構成については上記実施例１と同じであるため、同じ構成については、同一符号を付し、構造、作用及び効果の説明は省略する。
【００３８】
上記実施例１のアッパカバー２５が単一部品であったのに対し、本実施例２のアッパカバー５２は、前側部材５３と後側部材５７との２つの部品を前後に合体して構成されている。前側部材５３は、実施例１のアッパカバー２５の前板部３０を構成する形状であり、後側部材５７は、実施例１のアッパカバー２５の上板部２８と左右両側板部２９とを構成する形状である。
【００３９】
前側部材５３の後端面には、前側部材５３の上面部を後方へ突出させた形態の前側抜止めリブ５４が形成されている。前側部材５３の後端部下面には、後方へ突出した形態の前側取付部５６が形成されている。後側部材５７の前端面には、後側部材５７の上面部を前方へ突出させた形態の後側抜止めリブ５８が形成されている。後側部材５７の前端部下面には、前方へ片持ち状に延出した後側受け板部５９が形成されている。後側部材５７の前端部下面のうち後側受け板部５９より後方の位置には、下方へ突出した形態の後側取付部６０が形成されている。
【００４０】
前側部材５３と後側部材５７を合体させると、後側受け板部５９の前端部が前側部材５３の後端部下面に当接し、後側受け板部５９の前端面が前側部材５３の下面の段差状受け部５５に当接し、前側取付部５６の後端面が後側取付部６０の前面に面当たり状態で当接する。この状態で、後側取付部６０に貫通させたビス６１を前側取付部５６内にねじ込むと、前側部材５３と後側部材５７が合体状態に固定される。
【００４１】
両部材５３，５７を合体した状態では、前側部材５３の後端面と後側部材５７の前端面と後側受け板部５９の上面とにより、上方へ開放した形態の凹部６２が構成される。また、両部材５３，５７を合体する工程と同時に、アクセントライン６３（請求項に記載の別部品）が凹部６２内に収容される。凹部６２に収容されたアクセントライン６３の上面のうち、段差状に低くなった後縁部と前縁部には、前側抜止めリブ５４と後側抜止めリブ５８が上から当接する。この両リブ５４，５８の当接により、アクセントライン６３は、凹部６２からの離脱を規制され、水栓本体５０に取り付けられた状態に保持される。
【００４２】
また、後側受け板部５９の前端部には、排水路６４が形成されている。排水路６４は、後側受け板部５９の前端部上面と前面部とを溝状に凹ませた形態である。排水路６４の後端部はアクセントライン６３の前面と凹部６２の前側内側面６５との隙間に臨んでいる。排水路６４の下端部はハウジング５１の下面に開放されている。つまり、排水路６４は、凹部６２とアクセントライン６３の隙間と、凹部６２の外部とを連通させている。凹部６２とアクセントライン６３の隙間に浸入した水は、排水路６４を通って凹部６２の外部へ排出される。
【００４３】
＜他の実施例＞
本発明は上記記述及び図面によって説明した実施例に限定されるものではなく、例えば次のような実施例も本発明の技術的範囲に含まれる。
（１）上記実施例では、凹部が溝状に凹んだ形態であるが、凹部は、ハウジングの外縁部を段差状に凹ませた形態であってもよい。
（２）上記実施例では、凹部が、ハウジングの上面を溝状に凹ませた形態であるが、凹部は、ハウジングの側面を溝状に凹ませた形態であってもよい。
（３）上記実施例では、凹部の内部空間とは別の排水専用の空間として、排水孔を形成したが、凹部の内部空間そのものを排水用空間としてもよい。この場合、ハウジングの上面に形成された凹部においては、凹部の長さ方向の端部又は内側面の一部に、ハウジングの外部側方へ開放する開口部を形成し、凹部の底面を、開口部に向かって下り勾配となるような傾斜面とすればよい。また、ハウジングの側面に形成された凹部においては、凹部の底面を、ハウジングの側面に向かって下り勾配となる傾斜面を形成すればよい。
（４）上記実施例では、凹部が細長く延びた形状であるが、凹部は、ハウジングの外面における開口形状が、方形や円形等をなすものであってもよい。
（５）上記実施例では、別部品として凹部に取り付けられたアクセントラインは、給水温度を調節する際の操作性を向上させる機能と、給水形態を止水、シャワー及びカランのいずれかに切り換える際の操作性を向上させる機能と、意匠性を高める機能とを兼ね備えた多機能部品であるが、本発明の別部品は、上記のような操作性向上の機能や意匠性向上の機能とは異なる機能を備えた部品であってもよく、また、単機能部品であってもよい。
（６）上記実施例では、複数の排水孔を千鳥配置としたが、複数の排水孔は千鳥配置以外の形態で配置してもよい。
（７）上記実施例では、複数の排水孔を、凹部の一対の内側面の両方と隣接するように配置したが、排水孔は、凹部の一対の内側面のうちいずれか一方の内側面だけに隣接するように配置してもよい。
（８）上記実施例では、１つの凹部に複数の排水路（排水孔）を設けたが、１つの凹部に形成する排水路の数は、１つだけであってもよい。
（９）上記実施例では、アクセントラインを凹部に固定する手段として両面テープを用いたが、アクセントラインは接着剤によって凹部に固定してもよい。
【符号の説明】
【００４４】
Ａ，Ｂ…水栓装置
１０，５０…水栓本体
１１…給水ユニット（給水機能部材）
２４，５１…ハウジング
３２，６２…凹部
３３…底面
３４Ｆ…前側内側面（内側面）
３４Ｒ…後側内側面（内側面）
３５，６３…アクセントライン（別部品）
３８Ｆ，３８Ｒ…排水孔（排水路）
６４…排水路
【図１】
2020026611.tif 000003
【図２】
2020026611.tif 000004
【図３】
2020026611.tif 000005
【図４】
2020026611.tif 000006
【図５】
2020026611.tif 000007
【図６】
2020026611.tif 000008